(57)【要約】【課題】  コーナー部に突起が形成されないベッドフレームを提供すること。【解決手段】  アルミ押し出し成形された中空のヘッド側フレーム体、フット側フレーム体および一対のサイド側フレーム体を備え、ボトムを支持すべく、隣接するフレームの端部間を連結部材にて連結して平面的に矩形枠状に形成されたベッドフレームにおいて、前記ヘッド側フレーム体の一端部及び他端部並びにフット側フレーム体の一端部及び他端部をエルボ状に形成し、前記連結部材を脚体にて支持したベッドフレーム。【選択図】図１
2008173368.tif 000002
【特許請求の範囲】
【請求項１】
アルミ押し出し成形された中空のヘッド側フレーム体、フット側フレーム体および一対のサイド側フレーム体を備え、ボトムを支持すべく、隣接するフレームの端部間を連結部材にて連結して平面的に矩形枠状に形成されたベッドフレームにおいて、前記ヘッド側フレーム体の一端部及び他端部並びにフット側フレーム体の一端部及び他端部をエルボ状に形成し、前記連結部材を脚体にて支持したベッドフレーム。
【請求項２】
前記隣接するフレームの端部間は前記連結部材を段差が出来るように受容・固定し、前記段差は、前記脚体から延出する側面壁体により外側から嵌着遮蔽される、請求項１記載のベッドフレーム。
【請求項３】
前記一対のサイド側フレーム内面には、夫々、相互に幅方向に対向すべく長手方向に延在する一対の桟部が形成され、この一対の桟部材にて、前記ボトムの長手方向に延在する両端部が支持される、請求項１記載のベッドフレーム。
【請求項４】
前記ボトムは、前記一対の桟部材に支持される一対の保持体と、所定の間隔をおいて両端部が夫々前記一対の保持体に支承される複数のスラット部材とからなる、請求項３記載のベッドフレーム。
【請求項５】
前記スラット部材はアルミニューム製である、請求項４記載のベッドフレーム。
【請求項６】
前記スラット部材はアルミニューム製であって、前記保持体はゴム製である、請求項４記載のベッドフレーム。
【請求項７】
前記支承は嵌合の態様である、請求項４記載のベッドフレーム。
【発明の詳細な説明】
【技術分野】
【０００１】
本発明はベッドフレームに関し、更に詳しくは、ボトムを支持するベッドフレームに関するものである。
【背景技術】
【０００２】
特許文献１には、ボトムを支持するベッドフレームの一例が開示されている。このベッドフレームは、フレーム体を組み合わせて構成されるベッドフレームであって、隣り合うフレームの少なくとも一方のフレームの端部には、コーナー部材が固着され、このコーナー部材に隣り合う他方のフレームの端部を嵌合して構成されることを特徴とするものである。かような構成を採用することにより、各フレーム体の端部に隣接するフレーム体を組み合わせるためのコーナー部材が固着されるため、組み付け時にフレームの端部が露出することがなく、優れた意匠性をもたらす。
【特許文献１】特開２００１−２７５７９０号公報
【発明の開示】
【発明が解決しようとする課題】
【０００３】
しかし乍ら、上記したような構成にあっては、コーナー部材には、互いに直角をなす２本のフレーム体が嵌合されることになるので、コーナー部材は、双方のフレーム体の表面から外側に突出せざるを得なくなる。もし、このベッドフレームが狭い寝室に置かれた場合、この突出した部位が、人の足と干渉する蓋然性が高く、場合によっては、不快感を生ぜしめる危惧なしとしない。
【０００４】
それ故に、本発明は、コーナー部に突起部がないベッドフレームを提供することを技術的課題とするものである。
【課題を解決するための手段】
【０００５】
上記した技術的課題を解決するために講じた技術的手段は、請求項１に記載のように、
「アルミ押し出し成形された中空のヘッド側フレーム体、フット側フレーム体および一対のサイド側フレーム体を備え、ボトムを支持すべく、隣接するフレームの端部間を連結部材にて連結して平面的に矩形枠状に形成されたベッドフレームにおいて、前記ヘッド側フレーム体の一端部及び他端部並びにフット側フレーム体の一端部及び他端部をエルボ状に形成し、前記連結部材を脚体にて支持したベッドフレーム。」
を構成したことである。
【発明の効果】
【０００６】
請求項１で定義された構成を持つベッドフレームにおいては、４つのコーナーは、ヘッド側フレーム体のエルボ状の一端部及びエルボ状の他端部並びにフット側フレーム体のエルボ状の一端部及びエルボ状の他端部であるので、突起部は存在しない。
【発明を実施するための最良の形態】
【０００７】
以下、本発明に係るベッドフレームの一実施形態例について説明する。
【０００８】
図１において、全体として平面的に見て矩形の枠形状をなすベッドフレーム１０は、ヘッド側フレーム体２０、フット側フレーム体３０および一対のサイド側フレーム体４０・５０を備える。ヘッド側フレーム体２０、フット側フレーム体３０および一対のサイド側フレーム体４０・５０は、アルミの押し出し成形品であって、内部が中空となっている。
【０００９】
ヘッド側フレーム体２０の一端部２４及び他端部２６は、エルボ状に屈曲形成されており（つまり、本体部２２に対して略９０度屈曲形成されており）、一端部２４及び他端部２６は、互いに平行するようになっている。しかして、ヘッド側フレーム体２０の一端部２４（他端部２６）は、サイド側フレーム体４０の一端部４４（サイド側フレーム体５０の一端部５４）に、連結機構６０（連結機構６２）により、連結されている。
【００１０】
フット側フレーム体３０の一端部３４及び他端部３６は、エルボ状に屈曲形成されており（つまり、本体部３２に対して略９０度屈曲形成されており）、一端部３４及び他端部３６は、互いに平行するようになっている。しかして、フット側フレーム体３０の一端部３４（他端部３６）は、サイド側フレーム体４０の他
端部４６（サイド側フレーム体５０の他端部５６）に、連結機構６４（連結機構６６）により、連結されている。
【００１１】
かように、隣接するフレームの端部間を連結機構にて連結することにより、平面的に矩形枠状の形成されたベッドフレーム１０が構成される。しかして、ベッドフレーム１０の４つのコーナーは、ヘッド側フレーム体２０のエルボ状の一端部２４及びエルボ状の他端部２６並びにフット側フレーム体３０のエルボ状の一端部３４及びエルボ状の他端部３６であるが、これらは、屈曲形成でに作成されるので、外表面はスムースな局面をなすので、突起部は存在しない。
【００１２】
ベッドフレーム１０のサイド側フレーム体４０の内面及びサイド側フレーム体５０の内面には、夫々、桟部材７０及び桟部材７０が、ベッドフレーム１０の長手方向に延在するように、一体形成されている。桟部材７０及び桟部材７０は、ベッドフレーム１０のベッドフレーム１０の短手方向に対向しており、図２に示されるように、スノコボトム９０を支持する。スノコボトム９０には、図示されないマットレスが載置かれる。
【００１３】
スノコボトム９０は、一対の桟部材に支持される一対の保持体９２・９２と、所定の間隔をおいて長手方向に列設され、両端部が夫々一対の保持体９２・９２に支承される複数のスラット部材９６とから構成される。しかして保持体９２及びスラット部材９６は、夫々、ゴム及びアルミニュームで作製されており、このスノコボトム９０は、通気性に富む弾性ボトムの形態をなすようになっている。
【００１４】
図３を参照して、連結機構６０について説明する。連結機構６０は、連結板６２を備える。連結板６２には、ネジ穴６２Ｈが所定の間隔をおいて長手方向に穿設されている。連結板６２の一端部６２Ｌ（他端部６２Ｒ）は、ヘッド側フレーム体２０の一端部２４の中空２４Ａ（サイド側フレーム体４０の一端部４４の中空）内に挿入された後、連結板６２の穴６２Ｈがヘッド側フレーム体２０の一端部２４のネジ穴２４Ｈ（サイド側フレーム体４０の一端部４４のネジ穴４４Ｈ）が符合される。そして、符合された穴に図示されないボルトが螺合されて、連結板６２の一端部６２Ｌ（他端部６２Ｒ）は、ヘッド側フレーム体２０の一端部２４（サイド側フレーム体４０の一端部４４）に固定される。かようにして、ヘッド側フレーム体２０の一端部２４とサイド側フレーム体４０の一端部４４とは、連結板６２を介して連結される。尚、符合される穴を適宜変更することにより、ヘッド側フレーム体２０の一端部２４とサイド側フレーム体４０の一端部４４））との間の相対位置を違え、ベッドフレーム１０の長さを調整することが出来る。
【００１５】
連結板６２は、木製の脚体８０により支持される。すなわち、脚体８０は、床に着座する基体８２と、基体８２の外側から上に延在する側面壁体８４と、基体８２上に固定されるブラケット８６とを備える。しかして、側面壁体８４の上部及びブラケット８６の先端部は、脚体８０の上面との間に溝９０を画成し、この溝に連結板６２の本体部６２Ｘが嵌着される。
【００１６】
前述したように、ヘッド側フレーム体２０の一端部２４とサイド側フレーム体４０の一端部４４とは、連結板６２を介して連結される。しかして、連結板６２の一端部６２Ｌ及び他端部６２Ｒは、夫々、ヘッド側フレーム体２０の一端部２４の中空２４Ａ及びサイド側フレーム体４０の一端部４４の中空内に挿入されるので、ヘッド側フレーム体２０の一端部２４、サイド側フレーム体４０の一端部４４と、両者間に位置する連結板６２は、段差を画成する。側面壁体８４は、この段差に嵌着して、段差を外部から遮蔽する。段差の内面は、ヘッド側フレーム体２０の一端部２４の断面、連結板６２の外表面及びサイド側フレーム体４０の一端部４４の断面とからなるが、これらの地肌は、側面壁体８４の嵌着により外部から遮蔽され（つまり露呈されない）ので、優れた意匠性をもたらす。
【００１７】
また、木製の脚体８０の表面の色及び各フレーム体の色並びに脚体８０の材質を適宜変更することにより、様々なイメージを付与するベッドフレームの提供が可能となる。
【図面の簡単な説明】
【００１８】
【図１】本発明に係るベッドフレームの一実施形態例の単体斜視図である。
【図２】図１のベッドフレームにボトムが載置されたときの斜視図である。
【図３】隣り合うフレーム体の端部間を連結する連結機構の一例の分解斜視図である。
【図４】図３の連結機構における連結板の嵌着状態を示す説明図である。
【符号の説明】
【００１９】
１０：ベッドフレーム
２０：ヘッド側フレーム体
３０：フット側フレーム体
４０・５０：サイド側フレーム体
６０：連結板
８０：脚体
９０：ボトム
【図１】
2008173368.tif 000003
【図２】
2008173368.tif 000004
【図３】
2008173368.tif 000005
【図４】
2008173368.tif 000006